(57)【要約】      （修正有）【課題】家庭の室内又は、自動車内で設置場所が制限されない小型のオゾン発生器を提供する。【解決手段】直方体の筐体１内にオゾン発生部２、制御基板３、表示灯５、切替スイッチ７、電極ガード８、電源コネクタ４を設け、電源コネクタに交流直流変換電源９又はシガーソケットプラグ付きコードを接続可能とし、筐体に少なくとも面ファスナー、Ｌ字アングル、両面テープ、引っ掛けホルダーのどれか一つ以上を設ける。【選択図】図１
0003228237.tif 000002
【実用新案登録請求の範囲】
【請求項１】
上部と下部が分離する構造の直方体のケースで筐体が構成され、該筐体内部に高電圧電源と電極で構成されたオゾン発生部と該オゾン発生部を制御する制御基板が設けられ、該オゾン発生部は前記筐体に空けられた開口部から筐体外部へ電極が突出した位置に設けられ、前記制御基板から該オゾン発生部へ制御信号が接続され、該制御信号は前記制御基板で前記オゾン発生部のオゾン発生オン時間とオゾン発生オフ時間を交互に繰り返す形式で生成され、前記筐体に直流電源を接続するための電源コネクタが該筐体外部から接続可能に設けられ、該電源コネクタの筐体内部から直流電源が前記制御基板に接続され、前記筐体にオゾン発生動作の状態を表示するための表示灯が設けられ、該表示灯が前記制御基板に接続され、前記筐体に切替スイッチが設けられ、該切替スイッチは電源オフ又は３段階以上のオゾン発生強度の各位置に切り替えられ、該切替スイッチの切替信号が前記制御基板に接続され、該切替信号によって電源オフと電源オンの時の前記オゾン発生オン時間が切替られ、前記筐体から突出した前記オゾン発生部の電極を保護するための電極ガードが該筐体に設けられ、該筐体に家庭用エアコン・扇風機・自動車エアコン吹き出し口に取り付けるためのＬ字アングル・面ファスナー・両面テープ・引っ掛けホルダーのうち最低ひとつが設けられ、該引っ掛けホルダーの引っ掛け部分が２つに分かれた部分の上面に２つの穴ａが設けられ、該引っ掛けホルダーの引っ掛け部分と前記筐体の中間に穴ａと垂直な向きに穴ｂが一つ設けられた、前記電源コネクタに家庭用１００Ｖ交流直流変換電源を接続するか車両用のシガーソケットから給電可能なプラグを接続するかを選択可能な強度切替機能付小型オゾン発生器。
【考案の詳細な説明】
【技術分野】
【０００１】  本考案は、オゾン発生器に関するものである。
【背景技術】
【０００２】  従来、オゾン発生器が考案されており、主に送風装置との組み合わせやイオン発生器との組み合わせで高機能な空気清浄機能を有する装置が提案されている。
【考案の概要】
【考案が解決しようとする課題】
【０００３】  従来、オゾン発生器は送風装置との組み合わせやイオン発生器との組み合わせで高機能な空気清浄器が一般に製品化されている。これらの商品は高機能であるため高価であり、設置場所が制限されると言う問題がある。
【課題を解決するための手段】
【０００４】  本考案はこのような問題を解決するため、送風機能やイオン発生機能がなく小型で、家庭用エアコン・扇風機・加湿器や自動車のエアコン吹き出し口に取り付けられる機構を設けたオゾン発生器を提供するものである。【０００５】  オゾン発生器は、筐体、オゾン発生部、制御基板、電源コネクタ、表示灯、切替スイッチ、電極ガード、交流直流変換電源、シガーソケットプラグ付きコードと少なくともＬ字アングル、面ファスナー、両面テープ、引っ掛けホルダーのどれか一つ以上で構成される。【０００６】  本考案において、筐体内部にオゾン発生部、制御基板、電源コネクタ、表示灯、切替スイッチを設け、オゾン発生部は筐体に設けられた開口部から電極が突出した状態で設けられる。電源コネクタは、筐体外部から接続可能に設けられ、交流直流変換電源又はシガーソケットプラグ付きコードが接続される。表示灯は、筐体に設けられた穴から確認可能な位置に設けられ、切替スイッチは、筐体外部から操作可能に設けられる。電極ガードは筐体から突出しているオゾン発生部の電極を保護する位置に設けられ。筐体にＬ字アングル、面ファスナー、両面テープ、引っ掛けホルダーのどれか一つ以上が設けられる。
【考案の効果】
【０００７】  本考案によれば、家庭用エアコン・扇風機・加湿器や自動車のエアコン吹き出し口に取り付け可能な小型で設置場所が制限されないオゾン発生器を提供できる。
【図面の簡単な説明】
【０００８】
【図１】本考案の第一の実施形態の構成図である。
【図２】本考案の第一の実施形態の内部構成図である。
【図３】本考案の第一の実施形態の動作率表である。
【図４】本考案の第一の実施形態の取付図である。
【図５】本考案の第一、第四の実施形態の取付断面図である。
【図６】本考案の第二の実施形態の取付図である。
【図７】本考案の第二の実施形態の取付断面図である。
【図８】本考案の第三の実施形態の構成図である。
【図９】本考案の第三の実施形態の第一の取付図である。
【図１０】本考案の第三の実施形態の第二の取付図である。
【図１１】本考案の第四の実施形態のシガーソケットプラグ付きコードの図である。
【図１２】本考案の第四の実施形態の取付図である。
【考案を実施するための形態】
【０００９】  以下、この考案にかかる好適な第一の実施形態を図面に基づいて説明する。図１と図２において、この考案にかかるオゾン発生器の実施形態の構成図、内部構成図を示すと筐体１、オゾン発生部２、制御基板３、電源コネクタ４、表示灯５、切替スイッチ７、電極ガード８、交流直流変換電源９を有する。
【００１０】  オゾン発生器の筐体１は上部と下部が分離する構造の直方体のケースで構成されている。上部と下部のケースははめ込み、ネジ、接着剤で結合されている。
【００１１】  該筐体１には、高電圧電源と電極で構成されたオゾン発生部２が設けられている。また、該筐体１には開口部６が設けられ、オゾン発生部２の電極は該開口部６から該筐体１の外へ突出した状態で設けられ、該電極から効率よく筐体外部でオゾンが発生する構成となっている。
【００１２】  前記筐体１の内部には、制御基板３が設けられ、該制御基板３は前記オゾン発生部２、表示灯５、切替スイッチ７、電源コネクタ４に接続されている。
【００１３】  前記制御基板３は、制御信号でオゾン発生部２を制御している。該制御信号は該制御基板３で該オゾン発生部２のオゾン発生オン時間とオゾン発生オフ時間を交互に繰り返す形式で生成される。
【００１４】  前記切替スイッチ７は、オフ位置と３段階のオゾン発生強度位置が設けられている。３段階のオゾン発生強度位置はそれぞれＬｏｗ、Ｍｉｄ、Ｈｉｇｈである。オフ位置では前記制御基板３の電源を切断する作用をする。また、３段階のオゾン発生強度位置では、前記制御信号のオゾン発生オン時間の長さが３段階に変更される作用をする。この時オゾン発生オフ時間は一定時間であり。前記オゾン発生部から動作率Ｄに応じた量のオゾンが発生する。オゾン発生オン時間をＴＯＮ、オゾン発生オフ時間をＴＯＦＦと定義すると、該動作率Ｄは次式で計算される。
Ｄ  ＝  ＴＯＮ÷（ＴＯＮ＋ＴＯＦＦ）×１００  （％）
【００１５】  オゾン発生オン時間、オゾン発生オフ時間と動作率の設定値は、図３の通り前記制御基板３の回路構成と前記切替スイッチ７によって設定されている。
【００１６】  前記筐体１に設けられた前記表示灯５は、前記制御基板３に接続されオゾンの発生状態を表示する。オゾン発生動作中は該表示灯５が点灯し、オゾン発生停止中は該表示灯５が消灯する。
【００１７】  前記電源コネクタ４は前記筐体１に穴が空けて設けられ、該筐体１外部からコネクタが接続可能な状態になっている。該電源コネクタ４には交流直流変換電源９が該筐体１の外部から接続され、該交流直流変換電源９で家庭用交流１００Ｖ電源が直流１２Ｖ電源に変換され、直流１２Ｖ電源が該電源コネクタ４から前記制御基板３に供給される。
【００１８】  電極ガード８は、前記オゾン発生部２の電極が前記筐体１から突出している部分を保護するため、電極を覆う位置に設けられている。
【００１９】  図４、図５に本考案の第一の実施形態の取付図と取付断面図を示すと、前記筐体１の底面には両面テープａ１１を介して面ファスナーａ１２が設けられ、Ｌ字アングル１０にも両面テープｂ１４を介して面ファスナーｂ１３が設けられている。一方、該Ｌ字アングル１０のもう一方側は図示しない両面テープｃを介して家庭用エアコン本体に取り付けられ、面ファスナーａ１２と面ファスナーｂ１３が脱着可能に結合している。この構成によって本考案のオゾン発生器がエアコンの吹出し口の横に面ファスナーの作用で脱着可能に設置でき、エアコンの風と一緒にオゾンを含んだ空気が部屋中に拡散される効果がある。また、本考案のオゾン発生器は面ファスナーの作用で脱着可能であるため電極の清掃が容易にできると言う特徴がある。
【００２０】  続いて、図６、図７に本考案の好適な第二の実施形態の取付図と取付断面図を示すと、前記筐体１の底面には両面テープａ１１を介して面ファスナーａ１２が設けられ、壁１５にも両面テープｂ１４を介して面ファスナーｂ１３が設けられ、面ファスナーａ１２と面ファスナーｂ１３が脱着可能に結合している。この構成でエアコンの吹出し部近くに設置する事によって、家庭用エアコンの吹出す風や扇風機や自然の風と一緒にオゾンを含んだ空気を部屋中に拡散できる効果がある。また、本考案のオゾン発生器は面ファスナーの作用で脱着可能であるため電極の清掃が容易にできると言う特徴がある。
【００２１】  続いて、図８、図９、図１０に本考案の好適な第三の実施形態の構成図と第一の取付図と第二の取付図を示すと、前記筐体１の底面には図示しない両面テープで引っ掛けホルダー１６を設ける。該引っ掛けホルダー１６は引っ掛け部分の先端が２つに分かれた構造になっており、引っ掛ける物に障害物があっても、障害物を避けて引っ掛ける事ができる。図９はカーテンレールに引っ掛けた例を示す。カーテンレールを固定する金具を避けて引っ掛けられる構造である。また図１０は長押に引っ掛けた例を示す。引っ掛けホルダー１６には、２つに分かれた上面部分に上向きに穴ａ１７が二つ設けられ、更に引っ掛け部分と前記筐体１の中間部にも穴ｂ１８が一つ設けられ、穴ａ１７と穴ｂ１８にＳ字フックを使って引っ掛けることもできる。
【００２２】  更に、前記引っ掛けホルダー１６と前記筐体１を一体に形成する事でコストダウンを図る事ができる。
【００２３】  この構成で場所を制限されずオゾンを含んだ空気を部屋中に拡散できる効果がある。
【００２４】  続いてこの考案にかかる好適な第四の実施形態を図面に基づいて説明する。図１１、図１２において前記電源コネクタ４にはシガーソケットプラグ付きコード１９も接続可能なコネクタを採用する。該シガーソケットプラグ付きコード１９を自動車のシガーソケットへ接続する事で、自動車の直流１２Ｖ電源が前記電源コネクタ４に供給される。よって自動車内でも本考案のオゾン発生器を設置する事が出来る。
【００２５】  更に、前記筐体１は図５の取付断面図で示す構成で設けられる。つまり、前記筐体１の底面に両面テープａ１１を介して面ファスナーａ１２が設けられ、Ｌ字アングル１０にも両面テープｂ１４を介して面ファスナーｂ１３が設けられている。一方、該Ｌ字アングル１０のもう一方側は図示しない両面テープｃを介して自動車エアコン吹き出し口周辺部に取り付けられ、面ファスナーａ１２と面ファスナーｂ１３が脱着可能に結合している。この構成にする事によって自動車エアコンの吹出す風と一緒にオゾンを含んだ空気を車内に拡散する効果がある。
【００２６】  上記から本考案は、家庭用エアコンの横や近くの壁に取り付け可能かつ、自動車のエアコン吹き出し口周辺にも取り付け可能で、面ファスナーで脱着可能なオゾン発生器である。
【００２７】  なお、本考案は、前記実施形態に限定されるものではなく、本考案の目的を達成できる範囲における構成や形態をも含むものである。
【実施例】
【００２８】  以下に本考案の実施例を示すと、家庭用エアコン、扇風機、加湿器と自動車用エアコンの吹出し口に取り付ける事でオゾンを部屋や車内に拡散する事ができる。また、窓際の壁や柱、カーテンレールに設置して窓から入る自然の風で室内へ拡散する事もできる。
【産業上の利用可能性】
【００２９】  本考案は、家庭の室内または自動車の車内にオゾンを拡散させるのに適している。
【符号の説明】
【００３０】１    筐体
２    オゾン発生部
３    制御基板
４    電源コネクタ
５    表示灯
６    開口部
７    切替スイッチ
８    電極ガード
９    交流直流変換電源
１０  Ｌ字アングル
１１  両面テープａ
１２  面ファスナーａ
１３  面ファスナーｂ
１４  両面テープｂ
１５  壁
１６  引っ掛けホルダー
１７  穴ａ
１８  穴ｂ
１９  シガーソケットプラグ付きコード
【図１】
0003228237.tif 000003
【図２】
0003228237.tif 000004
【図３】
0003228237.tif 000005
【図４】
0003228237.tif 000006
【図５】
0003228237.tif 000007
【図６】
0003228237.tif 000008
【図７】
0003228237.tif 000009
【図８】
0003228237.tif 000010
【図９】
0003228237.tif 000011
【図１０】
0003228237.tif 000012
【図１１】
0003228237.tif 000013
【図１２】
0003228237.tif 000014